(57)【特許請求の範囲】
【請求項１】
開口を設けた固定羽と該開口を開閉可能な可動羽とを備えたスラットが上下方向に複数連結されているシャッターであって、
前記可動羽の側部に設けた第一当接部と固定羽の側部に設けた第二当接部の少なくとも一方にはテーパー部が形成されており、
前記可動羽が前記開口を閉鎖するとき、前記第二当接部に対して前記第一当接部が前記テーパー部に沿ってスライドすることで、前記可動羽を前記固定羽と嵌合する位置に案内可能としたことを特徴とするシャッター。
【請求項２】
前記可動羽の前記開口を開閉する本体部の左右の側縁部に設けた第一当接部と前記固定羽の開口を有する凹部の左右の側縁部に設けた第二当接部は、それぞれテーパー部である請求項１に記載されたシャッター。
【請求項３】
前記第一当接部と第二当接部は合成樹脂である請求項１または２に記載されたシャッター。
【発明の詳細な説明】
【技術分野】
【０００１】
本発明は、建物の開口部に用いられていてスラットによって採光や通風等の可能なシャッターに関する。
【背景技術】
【０００２】
従来、スラットをブラインドとして用いた採光や通風等の可能なシャッターカーテンとして、スラットに採光と通風を行う開口を設けたものが知られている。例えば特許文献１に記載されたシャッターカーテンは、閉塞用スラットと通気や採光を行う通気用スラットとが上下方向に分かれて連結された一重のものである。このシャッターカーテンは両端部が断面略コの字状のガイドレール部内に位置し、建物の開口部の上部に設けたシャッターボックス内のシャフトを正逆回転することでシャッターカーテンを巻き上げまたは繰り出しさせて建物の開口部を開閉させている。
各通気用スラットは、その長手方向に長円形状の開口を打ち抜きで形成している。これら通気用スラットに形成した開口は通気性と採光性が良いが、開口を通して外部から屋内を目視可能であるので、プライバシーの保護を十分確保できない欠点があった。
【０００３】
これに対し、特許文献２に記載されたシャッター装置は、貫通孔の開口を長手方向に形成した固定羽に対して開閉可能な可動羽が重ねて設けられた二重のスラットが上下方向に複数連結されている。そして、シャッターカーテンが建物の開口部を閉鎖させた閉鎖状態で可動羽を開閉操作させることができる。しかも、固定羽と可動羽の両端部はガイドレール部内に摺動可能に保持され、可動羽の両端部を除く本体部をガイドレール間で外部に開閉作動させている。
このシャッター装置は、上下方向に配列された複数のスラットにおいて上側の固定羽で下側のスラットに設けた可動羽を押すことで、下側の可動羽を回動させて開作動させ、固定羽の開口を通して採光や通風ができる。しかも、開状態にある可動羽の固定羽に対する角度を鋭角に設定することで外部から屋内を視認しにくい状態にすることができる。
【０００４】
また、固定羽の中央部には可動羽の本体部を納める中央凹部が形成されており、可動羽の閉状態において固定羽の中央凹部に可動羽の本体部を嵌め込むことで可動羽が固定羽の外面に面一に収まる。この状態でシャッターカーテンの各スラットをシャッターボックス内のシャフトに巻き上げてシャッターボックス内にシャッターカーテンを納めている。
【先行技術文献】
【特許文献】
【０００５】
【特許文献１】特開２０１１−１９６０８２号公報
【特許文献２】欧州特許第２０３９８７１号明細書
【発明の概要】
【発明が解決しようとする課題】
【０００６】
ところで、上述した特許文献２によるシャッターカーテンの二重スラットにおいて、各スラットの可動羽はその製造誤差や固定羽への取り付け誤差等を考慮して固定羽に対して横方向の遊びがあるため、可動羽の取り付け時等に固定羽に対して横ずれすることがある。また、人や物が開状態の可動羽に当たった場合、可動羽が固定羽に対して横ずれすることがあった。
可動羽が横ずれした状態で、シャッターカーテンの可動羽を閉じると横ずれした可動羽の本体部が固定羽の中央凹部に収まらず、可動羽の本体部が固定羽の中央凹部の両端部のいずれかの上に乗り上げるおそれがあった。
【０００７】
この場合、スラットの可動羽が固定羽に対して横ずれして隙間が生じるために屋内や屋外の光が隙間から漏れるおそれがある。しかも、シャッターカーテンをシャフトに巻き上げた場合に一部のスラットの可動羽が固定羽根に乗り上げていると同心状に巻き上げることができずシャッターボックス内に収まらなかったり、シャッターカーテンの繰り出し時に引っかかる等の支障をきたすおそれもあった。
【０００８】
本発明は、このような課題に鑑みてなされたものであって、シャッターカーテンの各スラットの固定羽に対する可動羽の横ずれを調整できるようにしたシャッターを提供することを目的とする。
【課題を解決するための手段】
【０００９】
本発明によるシャッターは、開口を設けた固定羽と該開口を開閉可能な可動羽とを備えたスラットが上下方向に複数連結されているシャッターであって、可動羽の側部に設けた第一当接部と固定羽の側部に設けた第二当接部の少なくとも一方にはテーパー部が形成されており、前記可動羽が前記開口を閉鎖するとき、前記第二当接部に対して前記第一当接部が前記テーパー部に沿ってスライドすることで、前記可動羽を前記固定羽と嵌合する位置に案内可能としたことを特徴とする。
本発明によれば、開状態にある可動羽が固定羽に対して横ずれした場合、可動羽を閉作動させても固定羽の凹部に可動羽の本体部が納まらないが、可動羽の第一当接部と固定羽の第二当接部が互いに当接すると、少なくとも一方がテーパー部であるために可動羽の閉作動によってテーパー部に沿って可動羽が横移動して位置ずれを調整して固定羽に嵌合させることができる。
【００１０】
また、可動羽の開口を開閉する本体部の左右の側縁部に設けた第一当接部と固定羽の開口を有する凹部の左右の側縁部に設けた第二当接部は、それぞれテーパー部であることが好ましい。
可動羽が横ずれした状態で閉作動した場合、いずれか一方の側縁部のテーパー部が固定羽の一方の側縁部のテーパー部に当接して押され、可動羽が横移動して本体部が凹部に納まるように位置ずれを調整するため、可動羽の本体部を確実に固定羽の凹部に嵌合することができる。
【００１１】
また、第一当接部と第二当接部は樹脂であることが好ましい。
可動羽と固定羽がアルミ合金等の金属製であっても、第一当接部と第二当接部を樹脂で形成すると互いに当接しても柔軟性があるためテーパー部によって可動羽がスライドして位置ずれを調整して本体部を凹部に嵌合できる。しかも、第一及び第二当接部が樹脂であるために衝突時に音がせず損傷もしない。
【発明の効果】
【００１２】
本発明によるシャッターによれば、可動羽の側縁部に設けた第一当接部と固定羽の側縁部に設けた第二当接部の少なくとも一方がテーパー部であるため、可動羽の閉作動時に一方の当接部であるテーパー部と他方の当接部とが互いに当接して可動羽の位置ずれを調整して嵌合させることができる。そのため、可動羽が横ずれしたとしても閉状態のスラットの可動羽が固定羽に乗り上げることがなく、可動羽の横移動によって確実に固定羽に嵌合させることができ、スラットの閉状態で可動羽と固定羽に隙間が生じないから光が漏れることがなく、シャッターカーテンの巻き上げと繰り出しを精度よく行うことができる。
【図面の簡単な説明】
【００１３】
【図１】本発明の実施形態によるシャッターを示す外観図である。
【図２】図１に示すシャッターの要部縦断面図である。
【図３】シャッターカーテンのスラットの可動羽を閉じた状態の部分斜視図である。
【図４】シャッターカーテンのスラットの可動羽を開いた状態の部分斜視図である。
【図５】スラットの固定羽を示す要部正面図である。
【図６】（ａ）は図３に示すスラットのＡ−Ａ線要部断面図、（ｂ）は図４に示すスラットのＢ−Ｂ線要部断面図である。
【図７】（ａ）は位置ずれした可動羽の閉作動途中状態の部分斜視図、（ｂ）は同図（ａ）のＣ−Ｃ線断面図、（ｃ）は位置ずれした可動羽の本体部を固定羽の中央凹部に閉作動する状態を示す要部断面図である。
【図８】（ａ）は可動羽の位置ずれが調整された閉状態の部分斜視図、（ｂ）は同図（ａ）のＤ−Ｄ線断面図である。
【発明を実施するための形態】
【００１４】
以下、本発明の実施形態によるシャッターを図１乃至図８に基づいて説明する。
図１及び図２に示す実施形態によるシャッター１は、建物の開口部２にフレーム３が形成され、フレーム３は上枠と下枠と左右一対の縦枠とで四角形枠状に形成されている。フレーム３の上側の天板と上枠との間にシャッターボックス４が設置されている。シャッターボックス４の下側における両側の縦枠に一対のガイドレール部５が上下方向に取り付けられている。
【００１５】
シャッターボックス４の内部には駆動モータに連結されたシャフト７が設置され、シャフト７には長尺の複数のスラット９が上下方向に連結されたシャッターカーテン１０が巻回されている。駆動モータの正逆回転により、シャッターカーテン１０を巻き上げれば開口部２の開口状態を得られ、シャッターカーテン１０を繰り出して下端まで降下させれば開口部２の閉鎖状態を得られる。
シャッターカーテン１０の上下動はその両端部を挟むガイドレール部５によってガイドされる。シャッターカーテン１０を開閉させるフレーム３の開口部２の内側には窓として、例えば引き違い障子６が設置されている。
【００１６】
次にシャッターカーテン１０の構造について図２〜図６により説明する。図２において、シャッターカーテン１０はその下端部に設けた巾木１２の上側に複数の二重のスラット９が上下方向に連結されている。
図３〜図６に示すように、各スラット９は開口１４を備えた固定羽１５と、固定羽１５に対して回動可能な可動羽１６とを備え、上側のスラット９の固定羽１５の下端部と下側のスラット９の可動羽１６の上端部とが回動可能に連結されて上下方向に連なっている。なお、各可動羽１６は閉状態と開状態または開作動の途中で停止保持可能である。固定羽１５と可動羽１６はアルミ合金等の軽量な金属で形成されている。なお、図３、図４では固定羽１５と可動羽１６は一方の端部だけを示しているが、他方の端部も同様に左右対称な形状を有している。
【００１７】
各スラット９における固定羽１５と可動羽１６は横方向に長尺に形成された略長板状であり、縦断面視で例えば外側に円弧状に湾曲して形成されている。図５及び図６に示すように、固定羽１５は屋外側の面に肉盛された凸部１７が横方向に帯状に形成された中央凹部２０（凹部）と、中央凹部２０の両側に固定された両固定端部２１とを有している。しかも、凸部１７は上下方向に所定間隔で複数本形成されている。
【００１８】
また、図６に示す中央凹部２０において、上下方向に隣接する凸部１７間の薄肉部には１条または複数条に分割形成された長円状の開口１４が水平方向に形成されている。本実施形態では、上下方向の凸部１７の間に複数の開口１４が配列されている。固定羽１５の開口１４は例えば金型を用いて屋内側（凹曲面側）から屋外側(凸曲面側)に向けて打ち抜きで形成されている。なお、各開口１４に虫除け用のネットを貼り付けてもよい。
固定羽１５において、中央凹部２０の両側縁部に設けた固定端部２１は樹脂製であり、中央凹部２０より屋外側に突出している。各固定端部２１における中央凹部２０との境界には傾斜面をなすテーパー部２２が形成されている。
【００１９】
本実施形態に示す例では、図５に示すように、各開口１４と凸部１７は固定羽１５の縦幅方向に等間隔に複数配列されているが、開口１４と凸部１７は固定羽１５における縦方向の上側に偏って配列されて形成されていてもよい。開口１４を固定羽１５の縦方向に等間隔に設置すると、可動羽１６の開状態で屋内外の採風が良好である上に、採光もほぼ均等に得られる。
一方、開口１４を固定羽１５の上側に偏らせて配列形成すると、可動羽１６の開状態でも外部から開口１４内を視認し難い。外部光は下側の可動羽１６の外面と上側の可動羽１６の内面に反射して開口１４から入射し、柔らかい光を採光することができる。採風についても開状態にある可動羽１６と固定羽１５の間隙から複数の開口１４を通して屋内外に流通可能である。
【００２０】
また、可動羽１６は、図３及び図４において、中央領域に形成され且つ縦幅方向の長さが固定羽１５と略同一で固定羽１５の開口１４を開閉可能な中央の本体部１６ａと、その両端部が切り欠かれて縦方向の長さの小さい支持部１６ｂとを形成している。本体部１６ａはスラット９の閉状態で固定羽１５の開口１４を有する中央凹部２０内に嵌合して、固定羽１５の両固定端部２１と面一となっている。
また、図３，４，７，８に示すように、本体部１６ａの両側縁部には樹脂製の可動端部２３が固定され、可動端部２３には固定羽１５のテーパー部２２に当接するテーパー部２４を形成している。
そして、固定羽１５の両固定端部２１と可動羽１６の両支持部１６ｂは両側のガイドレール部５内にそれぞれ一部が挿入されて上下動をガイドされ、可動羽１６の本体部１６ａは両側のガイドレール部５の間に位置して外部に開作動する。
【００２１】
また、図６に示すように、可動羽１６の本体部１６ａの屋内側の面には上側と下側に断面略Ｌ字状のリブ２６ａ、２６ｂが突出して形成されており、固定羽１５にも可動羽１６側の面における開口１４の上下に断面略Ｌ字状のリブ１７ａとストッパー１７ｂが形成されている。そのため、可動羽１６が図６（ｂ）に示す開状態から図６（ａ）に示す閉状態に回動した際に、可動羽１６の各リブ２６ａ、２６ｂと固定羽１５のリブ１７ａ、ストッパー１７ｂが固定羽１５と可動羽１６にそれぞれ当接することで可動羽１６の本体部１６ａが固定羽１５の中央凹部２０に嵌合して閉鎖されて固定羽１５との間に所定幅の空間ｋを形成する。
これらのリブ１７ａ、２６ａ、２６ｂやストッパー１７ｂによって、閉状態の可動羽１６と固定羽１５の間に虫やごみ等の異物を挟んでも可動羽１６が開くことがない。しかも、シャッターカーテン１０をシャフト７に巻き取ったときに異物による巻き上げ不良を生じない上に、巻回した他のスラット９の重みでスラット９の空間ｋがつぶれることを防ぐ。
【００２２】
次に、複数のスラット９の連結構造について図６によって説明する。図６では２つのスラット９のみを示しているが、本実施形態では３つ以上連結されている。
各スラット９において、固定羽１５の上端部には室外側を向く第一フック部１５ａが形成され、更に第一フック部１５ａの付け根には可動羽１６の開作動をストップさせるストッパー１５ｂが形成されている。また、固定羽１５の下端部にも第二フック部１５ｃが形成され、更に第二フック部１５ｃには下側の可動羽１６を押圧して開作動させる押圧部２８が形成されている。
【００２３】
一方、可動羽１６には上端部に固定羽１５の第一フック部１５ａ内に回動可能に挿入された係止部２９と、第一フック部１５ａを外側から室内側で覆う断面略Ｌ字状の第一係合部３０ａとを備え、更に第一係合部３０ａの途中から分岐して上方に延びていて、上側に位置するスラット９の固定羽１５の第二フック部１５ｃ内に回動可能に挿入される第二係合部３０ｂとが形成されている。上下のスラット９は、上側の固定羽１５の第二フック部１５ｃと下側の可動羽１６の第二係合部３０ｂとが回動可能に嵌合することで連結されている。
しかも、可動羽１６の係止部２９と第一係合部３０ａの間には、上側の固定羽１５の押圧部２８の押圧を受けて可動羽１６を第一フック部１５ａと第二フック部１５ｃを中心に回動させて開作動させる受け面１６ｃが形成されている。
【００２４】
そのため、図６（ａ）において、可動羽１６の本体部１６ａが固定羽１５のストッパー１７ｂに当接している閉位置にある状態から、シャッターカーテン１０をわずかに下方移動させて上側の固定羽１５の押圧部２８で下側の可動羽１６の受け面１６ｃを押すことで、図６（ｂ）に示すように、可動羽１６が回動して固定羽１５から離間する方向に開作動することになる。この場合、図６（ｂ）において、可動羽１６の開作動は第一係合部３０ａが固定羽１５のストッパー１５ｂに当接することで停止し、固定羽１５に対して可動羽１６は所定角度、例えば鋭角で開いた状態に保持される。
この状態で、固定羽１５の開口１４は外部から視認し難く、太陽光等の外部光は下側の可動羽１６の外面とその上の可動羽１６の内面に反射して開口１４から入射して採光する。
【００２５】
本実施形態によるシャッター１は上述した構成を備えており、次にシャッターカーテン１０の使用方法を説明する。
建物の開口部２をシャッターカーテン１０で開口状態から閉鎖状態に閉じる場合、図２に示すように、駆動モータを回転駆動させてシャッターカーテン１０をシャフト７に巻き上げた状態から繰り出し、シャッターカーテン１０の各スラット９は可動羽１６が固定羽１５に当接した閉状態で、両側のガイドレール部５にガイドされて降下させる。
【００２６】
そして、図２に示すように、シャッターカーテン１０の下端部の巾木１２がフレーム３の下枠に当接して、負荷が変化したことを検知することで停止する。この状態で開口部２はシャッターカーテン１０で閉鎖されている。この状態から、通風または採光のために可動羽１６を開作動させるには、更に駆動モータでシャッターカーテン１０をわずかに下方移動させる。
【００２７】
これによって、図６（ｂ）に示すように、各スラット９の固定羽１５の下端部の押圧部２８で下側のスラット９の可動羽１６の受け面１６ｃを押すことで、可動羽１６が第一フック部１５ａを嵌合する第一係合部３０ａと第二フック部１５ｃに嵌合される第二係合部３０ｂとを中心に回転することで所定角度だけ室外側に開作動し、第一係合部３０ａが固定羽１５のストッパー１５ｂに当接して開状態で停止する。その際、可動羽１６の本体部１６ａは対向するガイドレール部５の間に位置するため、スムーズに開作動する。
【００２８】
この状態で、図６（ｂ）に示すように、太陽光等の光が下側の可動羽１６で反射して更に上側の可動羽１６の内面で反射して開口１４を通して屋内を照射する。採風も同様に固定羽１５の開口１４を通して室内外に柔らかく流通する。また、開状態にある可動羽１６の屋内側に固定羽１５の複数の開口１４が配設されているから、外部から開口１４を通して室内を視認し難く、プライバシーを保護すると共に防犯上の安全性を向上できる。
【００２９】
可動羽１６が開状態で、可動羽１６に人や物が接触する等してそのスラット９の固定羽１５に対してわずかに横移動することがある。この状態で、可動羽１６を閉作動させると、まず駆動モータを逆回転させてシャッターカーテン１０を若干上方移動させることで押圧部２８が可動羽１６の受け面１６ｃから離れ、可動羽１６をその自重によって閉作動させる。
【００３０】
このとき、図７に示すように、可動羽１６の本体部１６ａの両可動端部２３に設けたテーパー部２４は固定羽１５の中央凹部２０の両固定端部２１に設けたテーパー部２２からずれている。図７（ｂ）、（ｃ）において、可動羽１６の横ずれした一方のテーパー部２４が固定羽１５の一方のテーパー部２２の上端部に当接し、他方のテーパー部２４は他方のテーパー部２２から離れる。そして、可動羽１６の閉作動の力によって一方のテーパー部２４が対向する一方のテーパー部２２に当接して押し込み、微少量横移動する。
すると、可動羽１６の第一係合部３０ａ及び第二係合部３０ｂが固定羽１５の第一フック部１５ａにガイドされて微小量スライドし、可動羽１６の本体部１６ａは固定羽１５の中央凹部２０と対向する正しい位置に戻されて両側のテーパー部２４、２２同士が対向する位置に位置調整される。そして、固定羽１５の両側のテーパー部２２に可動羽１６の両側のテーパー部２４が正しく当接し、可動羽１６が固定羽１５に乗り上げることなく、可動羽１６の本体部１６ａは固定羽１５の中央凹部２０に嵌合する。
そして、建物の開口部２を開放するには、駆動モータを逆回転させることでシャッターカーテン１０をシャフト７に巻き上げればよい。
【００３１】
上述のように、本実施形態によるシャッター１によれば、シャッターカーテン１０の各スラット９において、各スラット９の可動羽１６が開状態で固定羽１５に対して横ずれしたとしても、可動羽１６の閉作動の際に、テーパー部２４が固定羽１５のテーパー部２２に当接してスライドして位置調整されるために、可動羽１６の本体部１６ａを確実に固定羽１５の中央凹部２０に嵌合させて閉鎖できる。
そのため、可動羽１６の閉状態で本体部１６ａと固定羽１５の中央凹部２０との隙間から光が漏れることがなく、位置ずれに起因してシャッターカーテン１０のシャフト７による巻き上げと繰り出しに支障を来すことがなく正確に行える。
しかも、可動羽１６のテーパー部２４を備えた可動端部２３と固定羽１５のテーパー部２２を備えた固定端部２１とが樹脂製で柔軟性があるから、可動羽１６の閉作動時にテーパー部２４，２２同士が当接しても異音を生じたり傷つけたりすることを防止できる。
【００３２】
なお、本発明によるシャッター１は、上述した実施形態に限定されるものではなく、本発明の要旨を逸脱しない範囲で適宜の変更や置換等が可能である。以下に、本発明の変形例について説明するが、上述した実施形態で説明した部品や部材等と同一または同様なものについては同一の符号を用いて説明する。
【００３３】
例えば、上述した実施形態では、可動羽１６の本体部１６ａの可動端部２３と固定羽１５の固定端部２１を互いにテーパー部２４，２２としたが、少なくとも一方がテーパー形状であればよい。この場合、他方は角部等でもよい。また、可動羽１６のテーパー部２４は第一当接部といい、固定羽１５のテーパー部２２を第二当接部という。
【符号の説明】
【００３４】
１  シャッター
４  シャッターボックス
５  ガイドレール部
９  スラット
１０  シャッターカーテン
１４  開口
１５  固定羽
１６  可動羽
１６ａ  本体部
１７  凸部
２０  中央凹部
２１  固定端部
２２、２４  テーパー部
２３  可動端部
【図１】
0006426421.tif 000002
【図２】
0006426421.tif 000003
【図３】
0006426421.tif 000004
【図４】
0006426421.tif 000005
【図５】
0006426421.tif 000006
【図６】
0006426421.tif 000007
【図７】
0006426421.tif 000008
【図８】
0006426421.tif 000009